(57)【特許請求の範囲】
【請求項１】
引き出し収納部を有するキャビネットと、前記キャビネットの上部に設けられる水槽と、を備えた水槽付きキャビネットにおいて、
前記引き出し収納部の前板の裏面に、説明書を出し入れするための開口部を一側面に有する偏平な保管部を設けてなり、
前記保管部は、前記説明書がほぼ収まる深さを備えるとともに、前記保管部の開口部であって前記前板と反対側の部分には前記保管部に収めた説明書の端部を指で摘むことが可能な凹部を設け、
前記保管部の上部に、保管部に水が入るのを防止するカバーを設けたことを特徴とする水槽付きキャビネット。
【請求項２】
収納部と、収納部を閉じる扉と、を有するキャビネットと、前記キャビネットの上部に設けられる水槽と、を備えた水槽付きキャビネットにおいて、
前記扉の裏面に、説明書を出し入れするための開口部を少なくとも一側面に有する偏平な保管部を設けてなり、
前記保管部は、前記説明書がほぼ収まる深さを備えるとともに、前記保管部の開口部であって前記扉と反対側の部分には前記保管部に収めた説明書の端部を指で摘むことが可能な凹部を設け、
前記保管部の上部に、保管部に水が入るのを防止するカバーを設けたことを特徴とする水槽付きキャビネット。
【請求項３】
前記カバーに落ちた水を保管部外に導く導水路を形成したことを特徴とする請求項１又は２に記載の水槽付きキャビネット。
【請求項４】
引き出し収納部を有する引き出しを備えたキャビネットと、前記キャビネットの上部に設けられる水槽と、を備えた水槽付きキャビネットにおいて、
前記引き出しの前板の裏面に、説明書を出し入れするための開口部を一側面に有する偏平な保管部を設けてなり、
前記開口部を前記保管部の上部に設け、
前記保管部は、前記説明書がほぼ収まる深さを備えるとともに、前記保管部の開口部であって前記前板と反対側の部分には前記保管部に収めた説明書の端部を指で摘むことが可能な凹部を設け、
前記保管部と前記引き出しの前板の間に、前記前板を伝い落ちる水を前記保管部外に導く導水路を設けたことを特徴とする水槽付きキャビネット。
【請求項５】
収納部と、収納部を閉じる扉と、を有するキャビネットと、前記キャビネットの上部に設けられる水槽と、を備えた水槽付きキャビネットにおいて、
前記扉の裏面に、説明書を出し入れするための開口部を少なくとも一側面に有する偏平な保管部を設けてなり、
前記開口部を前記保管部の上部に設け、
前記保管部は、前記説明書がほぼ収まる深さを備えるとともに、前記保管部の開口部であって前記扉と反対側の部分には前記保管部に収めた説明書の端部を指で摘むことが可能な凹部を設け、
前記保管部と前記扉の間に、前記扉を伝い落ちる水を前記保管部外に導く導水路を設けたことを特徴とする水槽付きキャビネット。
【請求項６】
引き出し収納部を有するキャビネットと、前記キャビネットの上部に設けられる水槽と、を備えた水槽付きキャビネットにおいて、
前記引き出し収納部の仕切り部材に、説明書を出し入れするための開口部を上面に設けた保管部を形成してなり、
前記保管部は、前記説明書がほぼ収まる深さを備えるとともに、前記保管部の開口部には前記保管部に収めた説明書の端部を指で摘むことが可能な凹部を設け、
前記保管部の上部に、保管部に水が入るのを防止するカバーを設けたことを特徴とする水槽付きキャビネット。
【請求項７】
収納部と、収納部を閉じる扉と、を有するキャビネットと、前記キャビネットの上部に設けられる水槽と、を備えた水槽付きキャビネットにおいて、
前記収納部の内面に、説明書を出し入れするための開口部を少なくとも一側面に有する偏平な保管部を設けてなり、
前記保管部は、前記説明書がほぼ収まる深さを備えるとともに、前記保管部の開口部であって前記収納部の内部を向く部分には前記保管部に収めた説明書の端部を指で摘むことが可能な凹部を設け、
前記保管部の上部に、保管部に水が入るのを防止するカバーを設けたことを特徴とする水槽付きキャビネット。
【発明の詳細な説明】
【技術分野】
【０００１】
本発明は、洗面化粧台、システムキッチン、手洗い器などの水槽付きキャビネットに関するものである。
【背景技術】
【０００２】
特開平１０−１５５６７２号公報の図７によれば、洗面化粧台の扉の裏側にゴミ箱を設けたものが開示されている。ゴミ箱はゴミを入れるために開口部が広くなっており、またゴミを収納するためには、容積を大きくとらなければならない。このようなゴミ箱は、ゴミを入れる以外にも利用することができる。例えば、ゴミ箱の容器形状を利用して、説明書などを保管することが考えられる。しかし、元々がゴミ箱であるから収納容積を大きくとってしまい、キャビネット内の収納スペースを小さくしてしまうばかりか、水槽付きキャビネットの説明書などは、複数枚の紙でできており、このような薄いものを収納するには、不便である。説明書を立てかけて収納しようとすると、説明書が滑って折れ曲がり、必要なときに説明書を取り出そうとしても、保管部内に入り込んでしまい、説明書が摘みずらく取りにくい。また説明書に曲げ癖がついてしまい、必要なときに説明書を取り出す際には、倒れこんだ説明書を摘みにくくなり取り出しにくいなどの問題がある。また、曲げ癖がついた説明書がキャビネット内の収納部を占有してしまう場合には、キャビネット内に収納している収納物品を取り出す際に、説明書が邪魔になってしまうなどの問題もある。
このような問題は、洗面化粧台に限らず、システムキッチンや手洗い器などの水槽付きのキャビネットに共通している。
【先行技術文献】
【特許文献】
【０００３】
【特許文献１】特開平１０−１５５６７２号公報
【発明の概要】
【発明が解決しようとする課題】
【０００４】
本発明は、水槽付きキャビネットの取扱説明書を取り出しやすい位置に、収納の邪魔にならないように保管することができる水槽付きキャビネットを提供することを目的とする。
【課題を解決するための手段】
【０００５】
上記した課題を解決するために、請求項１では、引き出し収納部を有するキャビネットと、前記キャビネットの上部に設けられる水槽と、を備えた水槽付きキャビネットにおいて、前記引き出し収納部の前板の裏面に、説明書を出し入れするための開口部を一側面に有する偏平な保管部を設けてなり、前記保管部は、前記説明書がほぼ収まる深さを備えるとともに、前記保管部の開口部であって前記前板と反対側の部分には前記保管部に収めた説明書の端部を指で摘むことが可能な凹部を設け、前記保管部の上部に、保管部に水が入るのを防止するカバーを設けたことを特徴とする。
なお、ここで、「一側面」とは、保管部の上面、左側面、右側面のいずれかを指すものである。
【０００６】
これによれば、水槽付きキャビネットの説明書を、引き出しの前板の裏側の保管部に保管するので、必要な際にはすぐに取り出すことができ、収納部に収納物を詰め込んでいても、収納物を一旦取り出すことなく説明書を出し入れすることができる。また、保管部は偏平形状なので、薄い説明書の場合にも保管部に説明書を立て掛けるように納めても説明書が滑って折れ曲がって保管部にもぐりこんでしまうことがなく、また曲げ癖がつくことがなく、長期にわたって説明書を保管することができ、曲げ癖がついた説明書が引き出し収納部を占有することがないので、収納物の出し入れの際に説明書が邪魔になることがない。しかも、開口部に設けた凹部によって説明書の端部を摘みやすくなっているので、説明書の取り出しは容易である。
また、引き出しを開ききらずに説明書を出し入れすることが可能なので、立っている位置を変えて引き出しを引く必要がないので、説明書の出し入れ作業が簡単である。
また、これによれば、水槽付きキャビネットでの手洗い、洗顔、洗髪行為や洗い物、調理時などの際に万一水垂れが生じて、扉や引き出し前板に水が伝い落ちても、カバーによって説明書を保管している保管部に、垂れた伝い水が入ることがないので、説明書が水に濡れるのを防止することができる。
【０００７】
また、上記した課題を解決するために、請求項２では、収納部と、収納部を閉じる扉と、を有するキャビネットと、前記キャビネットの上部に設けられる水槽と、を備えた水槽付きキャビネットにおいて、前記扉の裏面に、説明書を出し入れするための開口部を少なくとも一側面に有する偏平な保管部を設けてなり、前記保管部は、前記説明書がほぼ収まる深さを備えるとともに、前記保管部の開口部であって前記扉と反対側の部分には前記保管部に収めた説明書の端部を指で摘むことが可能な凹部を設け、前記保管部の上部に、保管部に水が入るのを防止するカバーを設けたことを特徴とする。
【０００８】
これによれば、水槽付きキャビネットの説明書を、扉裏側の保管部に保管するので、必要な際にはすぐに取り出すことができ、収納部に収納物を詰め込んでいても、収納物を一旦取り出すことなく説明書を出し入れすることができる。また、保管部は偏平形状なので、薄い説明書の場合にも保管部に説明書を立て掛けるように納めても説明書が滑って折れ曲がって保管部にもぐりこんでしまうことがなく、また曲げ癖がつくことがなく、長期にわたって説明書を保管することができ、曲げ癖がついた説明書が引き出し収納部を占有することがないので、収納物の出し入れの際に説明書が邪魔になることがない。しかも、開口部に設けた凹部によって説明書の端部を摘みやすくなっているので、説明書の取り出しは容易である。
また、扉を全開することなく、開口部に設けた凹部によって容易に出し入れすることができる。
また、これによれば、水槽付きキャビネットでの手洗い、洗顔、洗髪行為や洗い物、調理時などの際に万一水垂れが生じて、扉や引き出し前板に水が伝い落ちても、カバーによって説明書を保管している保管部に、垂れた伝い水が入ることがないので、説明書が水に濡れるのを防止することができる。
【００１１】
請求項３では、請求項１又は２において、前記保管部と前記引き出しの前板の間に、前記前板を伝い落ちる水を前記保管部外に導く導水路を設けたことを特徴とする。
【００１２】
これによれば、カバーに落ちた水は導水路によって保管部外に導かれるので、保管部上に水が溜まることがないから、説明書の出し入れの際にカバーに触れても水で濡れることがない。
【００１３】
請求項４では、引き出し収納部を有する引き出しを備えたキャビネットと、前記キャビネットの上部に設けられる水槽と、を備えた水槽付きキャビネットにおいて、前記引き出しの前板の裏面に、説明書を出し入れするための開口部を一側面に有する偏平な保管部を設けてなり、前記開口部を前記保管部の上部に設け、前記保管部は、前記説明書がほぼ収まる深さを備えるとともに、前記保管部の開口部であって前記前板と反対側の部分には前記保管部に収めた説明書の端部を指で摘むことが可能な凹部を設け、前記保管部と前記引き出しの前板の間に、前記前板を伝い落ちる水を前記保管部外に導く導水路を設けたことを特徴とする。
【００１４】
これによれば、水槽付きキャビネットの説明書を、引き出しの前板の裏側の保管部に保管するので、必要な際にはすぐに取り出すことができ、収納部に収納物を詰め込んでいても、収納物を一旦取り出すことなく説明書を出し入れすることができる。また、保管部は偏平形状なので、薄い説明書の場合にも保管部に説明書を立て掛けるように納めても説明書が滑って折れ曲がって保管部にもぐりこんでしまうことがなく、また曲げ癖がつくことがなく、長期にわたって説明書を保管することができ、曲げ癖がついた説明書が引き出し収納部を占有することがないので、収納物の出し入れの際に説明書が邪魔になることがない。しかも、開口部に設けた凹部によって説明書の端部を摘みやすくなっているので、説明書の取り出しは容易である。
また、引き出しを開ききらずに説明書を出し入れすることが可能なので、立っている位置を変えて引き出しを引く必要がないので、説明書の出し入れ作業が簡単である。
また、これによれば、引き出し前板に水が伝い落ちても、保管部と前板の間に空間が設けられた導水路によって、水は保管部外に導かれる。そして保管部に入ることがないので、説明書が水に濡れるのを防止することができる。
【００１５】
請求項５では、収納部と、収納部を閉じる扉と、を有するキャビネットと、前記キャビネットの上部に設けられる水槽と、を備えた水槽付きキャビネットにおいて、前記扉の裏面に、説明書を出し入れするための開口部を少なくとも一側面に有する偏平な保管部を設けてなり、前記開口部を前記保管部の上部に設け、前記保管部は、前記説明書がほぼ収まる深さを備えるとともに、前記保管部の開口部であって前記扉と反対側の部分には前記保管部に収めた説明書の端部を指で摘むことが可能な凹部を設け、前記保管部と前記扉の間に、前記扉を伝い落ちる水を前記保管部外に導く導水路を設けたことを特徴とする。
【００１６】
これによれば、水槽付きキャビネットの説明書を、扉裏側の保管部に保管するので、必要な際にはすぐに取り出すことができ、収納部に収納物を詰め込んでいても、収納物を一旦取り出すことなく説明書を出し入れすることができる。また、保管部は偏平形状なので、薄い説明書の場合にも保管部に説明書を立て掛けるように納めても説明書が滑って折れ曲がって保管部にもぐりこんでしまうことがなく、また曲げ癖がつくことがなく、長期にわたって説明書を保管することができ、曲げ癖がついた説明書が引き出し収納部を占有することがないので、収納物の出し入れの際に説明書が邪魔になることがない。しかも、開口部に設けた凹部によって説明書の端部を摘みやすくなっているので、説明書の取り出しは容易である。
また、扉を全開することなく、開口部に設けた凹部によって容易に出し入れすることができる。
また、これによれば、扉に水が伝い落ちても、保管部と扉の間に空間が設けられた導水路によって、水は保管部外に導かれる。そして保管部に入ることがないので、説明書が水に濡れるのを防止することができる。
【００１７】
また、上記した課題を解決するために、請求項６では、引き出し収納部を有するキャビネットと、前記キャビネットの上部に設けられる水槽と、を備えた水槽付きキャビネットにおいて、前記引き出し収納部の仕切り部材に、説明書を出し入れするための開口部を上面に設けた保管部を形成してなり、前記保管部は、前記説明書がほぼ収まる深さを備えるとともに、前記保管部の開口部には前記保管部に収めた説明書の端部を指で摘むことが可能な凹部を設け、前記保管部の上部に、保管部に水が入るのを防止するカバーを設けたことを特徴とする。
【００１８】
これによれば、水槽付きキャビネットの説明書を、引き出しの仕切り部材に設けた保管部に保管するので、必要な際にはすぐに取り出すことができ、収納部に収納物を詰め込んでいても、収納物を一旦取り出すことなく説明書を出し入れすることができる。また、保管部は偏平形状なので、薄い説明書の場合にも保管部に説明書を立て掛けるように納めても説明書が滑って折れ曲がって保管部にもぐりこんでしまうことがなく、また曲げ癖がつくことがなく、長期にわたって説明書を保管することができ、曲げ癖がついた説明書が引き出し収納部を占有することがないので、収納物の出し入れの際に説明書が邪魔になることがない。しかも、開口部に設けた凹部によって説明書の端部を摘みやすくなっているので、説明書の取り出しは容易である。
このように、収納物品を仕切りながら、デッドスペースを有効に活用し、また収納物品の取り出しに影響しないばかりか、説明書を取り出す際にも、収納物品を動かすことなく、出し入れすることができる。
また、これによれば、水槽付きキャビネットでの手洗い、洗顔、洗髪行為や洗い物、調理時などの際に万一水垂れが生じて、扉や引き出し前板に水が伝い落ちても、カバーによって説明書を保管している保管部に、垂れた伝い水が入ることがないので、説明書が水に濡れるのを防止することができる。
【００１９】
また、上記した課題を解決するために、請求項７では、収納部と、収納部を閉じる扉と、を有するキャビネットと、前記キャビネットの上部に設けられる水槽と、を備えた水槽付きキャビネットにおいて、前記収納部の内面に、説明書を出し入れするための開口部を少なくとも一側面に有する偏平な保管部を設けてなり、前記保管部は、前記説明書がほぼ収まる深さを備えるとともに、前記保管部の開口部であって前記収納部の内部を向く部分には前記保管部に収めた説明書の端部を指で摘むことが可能な凹部を設け、前記保管部の上部に、保管部に水が入るのを防止するカバーを設けたことを特徴とする。
【００２０】
これによれば、水槽付きキャビネットの説明書を、キャビネットの側板に設けた保管部に保管するので、必要な際にはすぐに取り出すことができ、収納部に収納物を詰め込んでいても、収納物を一旦取り出すことなく説明書を出し入れすることができる。また、保管部は偏平形状なので、薄い説明書の場合にも保管部に説明書を立て掛けるように納めても説明書が滑って折れ曲がって保管部にもぐりこんでしまうことがなく、また曲げ癖がつくことがなく、長期にわたって説明書を保管することができ、曲げ癖がついた説明書が引き出し収納部を占有することがないので、収納物の出し入れの際に説明書が邪魔になることがない。しかも、開口部に設けた凹部によって説明書の端部を摘みやすくなっているので、説明書の取り出しは容易である。
このように、キャビネット側板部分のデッドスペースを有効に活用しつつ、収納物品の取り出しに影響しないばかりか、説明書を取り出す際にも、収納物品を動かすことなく出し入れすることができる。
また、これによれば、水槽付きキャビネットでの手洗い、洗顔、洗髪行為や洗い物、調理時などの際に万一水垂れが生じて、扉や引き出し前板に水が伝い落ちても、カバーによって説明書を保管している保管部に、垂れた伝い水が入ることがないので、説明書が水に濡れるのを防止することができる
【００２１】
なお、水槽付きキャビネットの近くで使用する他の説明書（例えば、水槽付きキャビネットで使用する水栓金具や、水槽付きキャビネットの上方に配置される化粧キャビネットや化粧キャビネットの周りのキャビネットなどの説明書類、その他キッチンキャビネットでは、フードや調理機器などの機器類の説明書類）を、保管部に収めることも可能である。その場合には、説明書類をまとめて保管することができる。また、説明書類を立てて保管するため、各説明書を取り出す際には取り出し易い。
【発明の効果】
【００２２】
本発明によれば、水槽付きキャビネットの取扱説明書を取り出しやすい位置に、収納の邪魔にならないように保管することができる水槽付きキャビネットを提供することが可能となる。
【図面の簡単な説明】
【００２３】
【図１】本発明の第一の実施形態にかかる洗面化粧台の引き出しを開けた状態を示す側面図である。
【図２】図１の洗面化粧台の引き出しを示す断面図ある。
【図３】図１の洗面化粧台の引き出しに収納物品を収納した状態を示す断面図である。
【図４】図１の洗面化粧台の保管部を示す斜視図である。
【図５】保管部の変形例を示す斜視図である。
【図６】図１の洗面化粧台から説明書を取り出す状態を示す側面図である。
【図７】第一の実施形態の変形例にかかる洗面化粧台の引き出しを示す断面図である。
【図８】図７の引き出しの前板を後方から眺めた模式的背面図である。
【図９】本発明の第二の実施形態にかかる洗面化粧台の扉を開いた状態を示す斜視図である。
【図１０】図９の洗面化粧台の保管部を示す斜視図である。
【図１１】第二の実施形態の変形例にかかる洗面化粧台の扉を後方から眺めた模式的背面図である。
【図１２】第二の実施形態の別の変形例にかかる洗面化粧台を示す断面図である。
【図１３】図１２に示す洗面化粧台の保管部を示す斜視図である。
【図１４】本発明の第三の実施形態にかかる洗面化粧台の引き出しを示す上面図である。
【図１５】本発明の第四の実施形態にかかる洗面化粧台を示す斜視図である。
【発明を実施するための形態】
【００２４】
以下、図面に基づいて、本発明の実施の形態を説明する。なお、異なる実施形態であっても同じ構成については、同じ符号を付し、その説明を省く。
なお、水槽付きキャビネットとして、代表的に洗面化粧台を例に用いて説明する。
【００２５】
まず、図１〜図６に基づいて、第一の実施形態を説明する。図１は洗面化粧台の引き出しを開けた状態を示す側面図、図２は洗面化粧台の引き出しを示す断面図、図３は洗面化粧台の引き出しに収納物品を収納した状態を示す断面図、図４は洗面化粧台の保管部を示す斜視図である。また、図５は保管部の変形例を示す斜視図、図６は図１の洗面化粧台から説明書を取り出す状態を示す側面図である。
【００２６】
図１に示すように、洗面化粧台１００は物品を収納するための収納部があるキャビネット１１０と、キャビネット１１０の上部に水槽１２０がある。収納部は、引き出し収納部１１１であり、引き出し収納部１１１の前面側に前板１１２を取付けている。前板１１２には引き出し収納部１１１を開閉するための、手かけ部分１１３（例えば取っ手）がある。そして、図２に示すように、前板１１２には、前板１１２の裏面に沿うように保管部１３０を取付けている。保管部１３０には、洗面化粧台１００の取扱説明書１５０（以下説明書と記す）が収納されている（図４（ｂ）参照）。保管部１３０は奥行き方向に薄くなっている。奥行き方向に薄くなっていることで、引き出し収納部１１１のスペースを損なうことなく薄い冊子状の説明書１５０を収納できるようになっている。また説明書１５０を収納する際には、説明書１５０を立てた状態で保管できるので、説明書１５０が保管部１３０に滑り込んで曲がってしまったり、曲げ癖がついて引き出し収納部１１１の収納空間の方へ倒れることがないので、収納物品１４０を取り出す際にも説明書１５０が邪魔にならず使い勝手がよい（図３参照）。引き出し収納部１１１の前板１１２の裏面に説明書１５０の保管部１３０を取付けているので、洗面化粧台１００の使用時に説明書１５０を取り出す際には、引き出し収納部１１１を全開することなく、説明書１５０の出し入れができる。
【００２７】
図４に保管部１３０の詳細を示す。保管部１３０は上面に開口部１３１を有する偏平容器１３２である。保管部１３０の奥行き方向は、説明書１５０の厚みよりも広くとってある。保管部１３０の高さは説明書１５０の高さとほぼ同じ高さとなっている。保管部１５０の開口部１３１の前板１１２と反対側の縁部には凹部１３３を形成している。凹部１３３は開口部１３１の中央部に設けてもよいし、端部に設けてもよい。
【００２８】
図５は保管部の変形例である。
保管部１６０は網かご構造をしている。保管部１６０は前板１１２の裏面に着脱可能に取り付けられている。
【００２９】
図６に示すように、説明書１５０を取り出す際には、引き出し収納部１１１を全開する必要がなく、立ち位置を変えることなく取り出すことができる。
【００３０】
次に、図７〜図８に基づいて、第一の実施形態の変形例を説明する。図７は洗面化粧台の引き出しを示す断面図、図８は引き出しの前板を後方から眺めた模式的背面図である。
図７は、引き出し収納部１１１の前板１１２の背面に取付けられた保管部１３０の開口部１３１の上方にはカバー１８０を備えている。カバー１８０は、引き出し収納部１１１の前板１１２の裏面から後ろ方向に延び、裏面に沿うように配置されている。また、カバー１８０は保管部１３０の奥行き方向に向かい裏面の高さよりも高さが増す構造となっている。これにより、万一水垂れとなった際の伝い水Ｗが垂れて来た際にも、説明書１５０を濡らすことがない。カバー１８０は、説明書１５０を覆うように保管部１３０の奥行き方向とほぼ同等位置まで設けてもよい。
【００３１】
図８に示すように、カバー１８０は前板１１２の幅方向に導水路１８２がある。伝い水Ｗが垂れてきた際には、導水路１８２を伝い矢印の方向に流れていく。これにより、保管部１３０に伝い水Ｗが入ることがなく、説明書１５０を濡らすことがない。また導水路１８２から伝った水Ｗは前板１１２の裏面を伝い下方にいくため、裏面とキャビネット１１０の隙間により、引き出し収納部１１１に伝い水Ｗが入るのを阻止して、収納物品１４０を濡らしてしまうのを防止できる。導水路１８２はカバー１８０の端部に向かうほど高さが低くなっており、伝い水Ｗが自然と垂れていくようになっている。カバー１８０の端部からは、前板１１２の裏面を伝い下方に滴下していく。
【００３２】
次に、図９〜図１０に基づいて、第二の実施形態を説明する。図９は洗面化粧台の扉を開いた状態を示す斜視図、図１０は洗面化粧台の保管部を示す斜視図である。
【００３３】
図９は、扉を備えた洗面化粧台の斜視図である。
洗面化粧台２００は、水槽２２０の下方のキャビネット２１０には収納部２１５を開閉する扉２１１が設けられている。扉２１１の裏面に保管部２３０が取付けてある。保管部２３０は、その左側面、すなわち、扉２１１の開放端側に開口部２３１が設けられた偏平容器２３２である。保管部２３０は第一の実施形態と同様に、奥行き方向に薄くなっていることで、収納部２１５のスペースを損なうことがない。また、開口部２３１には凹部２３３が形成されているので、説明書１５０を摘みやすい。収納物品を取り出す際に説明書１５０が邪魔にならず、保管部２３０も邪魔にならないため使い勝手がよい。また収納物品を動かすことなく、また扉２１１を全開することなく、説明書１５０の出し入れができる。
なお、保管部は、図１０に示すように網かご構造であってもよい。網かご構造の保管部２４０の開口部２４１には凹部２４３が設けられ、説明書１５０を指で摘んで引き出しやすくなっている。
【００３４】
次に、図１１に基づいて、第二の実施形態の変形例を説明する。図１１は洗面化粧台の扉を後方から眺めた模式的背面図である。
この変形例では、保管部２５０の開口部２５１は上面側に設けられている。図１１に示すように、カバー２６０は扉２１１の幅方向に導水路２６１がある。伝い水Wが垂れてきた際には、導水路２６１を伝い矢印の方向に流れていく。これにより、保管部２５０に伝い水Wが入ることがなく、説明書１５０を濡らすことがない。また導水路２６１から伝った水Wは裏面を伝い下方にいくため、扉２１１の裏面とキャビネット２００の隙間により、収納部に伝い水Wが入るのを阻止して、収納物品を濡らしてしまうのを防止できる。導水路２６１はカバー２６０の端部に向かうほど高さが低くなっており、伝い水Wが自然と垂れていくようになっている。カバー２６０の端部から垂れた水Ｗは、扉２１１の裏面を伝い下方に滴下していく。
【００３５】
次に、図１２〜図１３に基づいて、第二の実施形態の別の変形例を説明する。図１２は洗面化粧台を示す断面図、図１３は洗面化粧台の保管部を示す斜視図である。
図１２に示すように、扉２１１の裏面と保管部２７０の間に導水路２８０を設けている。この導水路２８０は、保管部２７０の両端部を除いた部位を凹ませて、扉２１１の裏面と保管部２７０との間に空間２７５を形成することにより設けられる。これにより、カバーを設けなくても、伝い水Wが保管部２７０に入るのを阻止して、説明書１５０を濡らしてしまうのを防止できる。
【００３６】
次に、図１４に基づいて、第三の実施形態を説明する。図１４は洗面化粧台の引き出しを示す上面図である。
図１４に示すように、洗面化粧台の引き出し収納部３１０の仕切り部材３２０に保管部３２１を設けたものである。この保管部３２１には、上面に開口部が設けられ、開口部の一部を切り欠くように凹部が形成されている。仕切り部材３２０に保管部３２１を設けることで、収納物品の間のスペースを無駄なく使うことができ、収納物品の出し入れに邪魔になることがなく、また説明書１５０を取り出す際には、収納物品を気にせず取り出すことができて使いやすい。仕切り部材３２０は引き出し収納部３１０から着脱可能に配置されており、配置する箇所は収納物品に応じて、横方向に任意に好みの場所に配置することができる。
【００３７】
次に、図１５に基づいて、第四の実施形態を説明する。図１５は洗面化粧台を示す斜視図である。
図１５に示すように、洗面化粧台４００は、水槽４２０の下方のキャビネット４１０には扉４１１が設けられている。そして、キャビネット４１０の収納部の側面４１２に保管部４３０を取付けたものである。保管部４３０は、前方側に開口部４３１を設け、開口部の一部を切り欠くように凹部４３３を形成している。側板４１２には扉４１１を取付けるための丁番４１３があり、上と下の丁番４１３の間に保管部４３０を取付けている。扉４１１を取付けるための丁番４１３の上下の空間はデッドスペースとなっており、保管部４３０を取付けることでデッドスペースを有効活用ができるばかりか収納物品の邪魔になることがない。また保管部４３０の開口部４３１が正面側に向いていることで、説明書１５０を取り出す際には、収納物品を気にせず取り出すことができて使いやすい。
【００３８】
以上、本発明の実施の形態について説明したが、本発明はこれらの例示に限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００３９】
１００  洗面化粧台（水槽付きキャビネット）
１１０  キャビネット
１１１  引き出し収納部
１１２  前板
１２０  水槽
１３０  保管部
１３１  開口部
１３３  凹部
１５０  説明書
１６０  保管部
１６１  開口部
１６３  凹部
１８０  カバー
１８２  導水路
２００  洗面化粧台（水槽付きキャビネット）
２１０  キャビネット
２１１  扉
２１５  収納部
２２０  水槽
２３０  保管部
２３１  開口部
２３３  凹部
２４０  保管部
２４１  開口部
２４３  凹部
２５０  保管部
２５１  開口部
２５３  凹部
２６０  カバー
２６１  導水路
２７０  保管部
２７１  開口部
２７３  凹部
２８０  導水路
３１０  引き出し収納部
３２０  仕切り部材
３２１  保管部
４００  洗面化粧台（水槽付きキャビネット）
４１０  キャビネット
４２０  水槽
４３０  保管部
４３１  開口部
４３３  凹部
【図１】
0006016185.tif 000002
【図２】
0006016185.tif 000003
【図３】
0006016185.tif 000004
【図４】
0006016185.tif 000005
【図５】
0006016185.tif 000006
【図６】
0006016185.tif 000007
【図７】
0006016185.tif 000008
【図８】
0006016185.tif 000009
【図９】
0006016185.tif 000010
【図１０】
0006016185.tif 000011
【図１１】
0006016185.tif 000012
【図１２】
0006016185.tif 000013
【図１３】
0006016185.tif 000014
【図１４】
0006016185.tif 000015
【図１５】
0006016185.tif 000016